(57)【要約】      （修正有）【課題】眼鏡部と、保持バンド部とを脱着可能な接合部とで構成された保持バンド付き眼鏡であって、特に鼻あて部には依存しないで、安定して装着が可能であって、かつ、装着感に優れた保持バンド付き眼鏡を提供する。【解決手段】フレーム部１と、前記フレーム部内側に装着されたレンズ２と、前記フレーム部１の両側から直角に付き出たツル部３とで構成される眼鏡部１００と、保持バンド部２００と、前記ツル部３と前記保持バンド部２００とを接合する、脱着可能な接合部３００とで構成する。【選択図】図１
2012252053.tif 000002
【特許請求の範囲】
【請求項１】
フレーム部と、前記フレーム部内側に装着されたレンズと、前記フレーム部の両側から直角に付き出たツル部とで構成される眼鏡部と、保持バンド部と、
前記ツル部と前記保持バンド部とを接合する、脱着可能な接合部とで構成されることを特徴とする保持バンド付き眼鏡。
【請求項２】
前記脱着可能な接合部は、前記保持バンド部の端部に設けられた、中空円筒部と、前記ツル部の端部に設けられた前記中空円筒部の内側に勘合する円柱部とで構成されたことを特徴とする請求項１記載の保持バンド付き眼鏡。
【請求項３】
前記脱着可能な接合部は、前記保持バンド部の端部に設けられた永久磁石と、前記ツル部の端部に設けられた強磁性体とで構成されたことを特徴とする請求項１記載の保持バンド付き眼鏡。
【請求項４】
前記保持バンドの押し圧力によって、頭部、および耳部を介して、固定されたことを特徴とする請求項１ないし３のいずれか１項記載の保持バンド付き眼鏡。
【発明の詳細な説明】
【技術分野】
【０００１】
本発明は、眼鏡部と、保持バンド部とを取り外し可能な接合部とで構成された保持バンド付き眼鏡に関し、特に鼻あて部がなしで、安定して固定できる構造の保持バンド付き眼鏡に関する。
【背景技術】
【０００２】
従来の保持バンド付き眼鏡については、例えば、特許文献１に開示されている。
図６は、特許文献１に記載されている、従来の保持バンド付き眼鏡の斜視図であり、図７は、図６での保持バンド付き眼鏡の保持バンドの斜視図である。
図６、図７に示すように、従来の保持バンド付き眼鏡は、伸縮性を有する素材からなる保持バンド本体３１と、この保持バンド本体３１の両端部に形成した筒状部３２、３２とからなり、前記筒状部３２、３２を眼鏡ＧのツルＴに保持できるようにしてなるものとしている。
【０００３】
このような従来の眼鏡保持バンドは、眼鏡ＧのツルＴを筒状部３２に挿通すれば、眼鏡Ｇは保持バンド部３１によって頭部に対して強固に装着されることとなり、みだりにずれや脱落を生じることがなくなるので、過激な運動を行う場合にも眼鏡Ｇのずりおち、或いは脱落による不都合は完全に防止することが開示されている。
【先行技術文献】
【特許文献】
【０００４】
【特許文献１】実開昭６０−７４１２６号公報
【発明の概要】
【発明が解決しようとする課題】
【０００５】
図６、図７の従来の眼鏡保持バンドでは、眼鏡ＧのツルＴを筒状部３２、３２に挿通するものとしているので、保持バンド本体３１が伸縮性を有する素材からなるといっても摩擦抵抗が大きいため、挿通する時に力を入れ過ぎた場合に、ツルＴが曲がってしまうという問題点を有していた。また、眼鏡ＧのツルＴを筒状部３２、３２に挿通すると、その挿通する時に筒状部３２、３２に皺がよることがあり、そのため眼鏡の装着感が悪くなるという問題点を有していた。さらに、この眼鏡保持バンドでは、ツルＴが保持バンド本体３１に引っ張られて、鼻当てＮにより着用者の鼻背側部が強く押さられ、眼鏡の装着感が非常に悪くなるという問題点を有していた。
【０００６】
本発明の課題は、眼鏡部と、保持バンド部とを脱着可能な接合部とで構成された保持バンド付き眼鏡であって、特に鼻あて部には依存しないで、安定して装着が可能であって、かつ、装着感に優れた保持バンド付き眼鏡を提供することである。
【課題を解決するための手段】
【０００７】
本発明の請求項１に係る保持バンド付き眼鏡は、フレーム部と、前記フレーム部内側に装着されたレンズと、前記フレーム部の両側から直角に付き出たつる部とで構成される眼鏡部と、保持バンド部と、前記つる部と前記保持バンド部とを接合する、脱着可能な接合部とで構成されることを特徴とする保持バンド付き眼鏡である。
【０００８】
本発明の請求項２に係る保持バンド付き眼鏡は、前記脱着可能な接合部は、保持バンド部の端部に設けられた、中空円筒と、つる部の端部に設けられた前記中空円筒の内側に勘合する円柱部とで構成されたことを特徴とする請求項１記載の保持バンド付き眼鏡である。
【０００９】
本発明の請求項３に係る保持バンド付き眼鏡は、前記脱着可能な接合部が、前記保持バンド部の端部に設けられた永久磁石と、前記ツル部の端部に設けられた強磁性体とで構成されたことを特徴とする請求項１記載の保持バンド付き眼鏡である。
【００１０】
本発明の請求項４に係る保持バンド付き眼鏡は、前記保持バンドの押し圧力によって、頭部、および耳部を介して、固定されたことを特徴とする請求項１ないし３のいずれか１項記載の保持バンド付き眼鏡である
【発明の効果】
【００１１】
本発明の請求項１、２の保持バンド付き眼鏡によれば、中空円筒と、つる部の端部に設けられた前記中空円筒の内側に勘合する円柱部とで確実に組み立てのできる保持バンド付き眼鏡を提供できる。
本発明の請求項１、３の保持バンド付き眼鏡によれば、永久磁石と、前記ツル部の端部に設けられた強磁性体とで確実に組み立てのできる保持バンド付き眼鏡を提供できる。
本発明の請求項４の保持バンド付き眼鏡によれば、特に鼻あて部には依存しないで、安定して装着が可能であって、かつ、装着感に優れた保持バンド付き眼鏡を提供することができる。
【００１２】
本発明によれば、眼鏡部と、保持バンド部とを脱着可能な接合部とで構成された保持バンド付き眼鏡であって、特に鼻あて部には依存しないで、安定して装着が可能であって、かつ、装着感に優れた保持バンド付き眼鏡を提供することができる。
【図面の簡単な説明】
【００１３】
【図１】本発明の実施例１の保持バンド付き眼鏡の斜視図である。
【図２】図１の保持バンド付き眼鏡の眼鏡部と保持バンド部とを分離した図。
【図３】本発明の実施例２の保持バンド付き眼鏡の斜視図である。
【図４】図３の保持バンド付き眼鏡の眼鏡部と保持バンド部とを分離した図。
【図５】従来の保持バンド付き眼鏡の斜視図。
【図６】図５の保持バンド付き眼鏡の保持バンドの斜視図
【実施例】
【００１４】
本発明の保持バンド付き眼鏡の実施例について、以下説明する。
【００１５】
(実施例１)
図１は、本発明の実施例１の保持バンド付き眼鏡の斜視図である。
図１の保持バンド付き眼鏡は、フレーム部１と、前記フレーム部１内側に装着されたレンズ２と、前記フレーム部１の両側から直角に付き出たツル部３とで構成される眼鏡部と１００、保持バンド部２００と、前記ツル部３と前記保持バンド部２００とを接合する、脱着可能な勘合式保持部３００とで構成されている。
ここで、前記勘合式保持部３００は、前記保持バンド部２００の端部に設けられた、中空円筒部５と、前記ツル部３の端部に設けられた前記中空円筒部５の内側に勘合する円柱部４とで構成されている。
【００１６】
図２は、図１の保持バンド付き眼鏡の眼鏡部と保持バンド部とを分離した図である。
勘合式保持部３００は、中空円筒部５と、円柱部４とが、分離されている。
眼鏡使用時には、円柱部４を中空円筒部５に勘合させて、保持バンド付き眼鏡を組みたてる。ここで、眼鏡部１００の中継部６は、全く、鼻には、接触することがなく、前記保持バンド２００の押し圧力によって、頭部、および耳部を介して、保持バンド付き眼鏡が固定される。特に鼻あて部には依存しないで、安定して装着が可能であって、かつ、装着感に優れた保持バンド付き眼鏡を提供することができる。
【００１７】
（実施例２）
図３は、本発明の実施例２の保持バンド付き眼鏡の斜視図である。
図３の保持バンド付き眼鏡は、フレーム部１１と、前記フレーム部１１内側に装着されたレンズ２１と、前記フレーム部１１の両側から直角に付き出たツル部３Ａとで構成される眼鏡部１０１と、保持バンド部２０１と、前記ツル部３Ａと前記保持バンド部２０１とを接合する、脱着可能な磁気式保持部３０１とで構成されている。
ここで、前記磁気式保持部３０１は、前記保持バンド部２０１の端部に設けられた永久磁石５１と、前記ツル部３Ａの端部に設けられた強磁性体４１とで構成されている。
【００１８】
図４は、図３の保持バンド付き眼鏡の眼鏡部と保持バンド部とを分離した図である。
磁気式保持部３０１は、永久磁石５１と、強磁性体４１とが、分離されている。
眼鏡使用時には、強磁性体４１と永久磁石５１とを磁気吸引力によって密着させて、保持バンド付き眼鏡を組みたてる。ここで、眼鏡部１０１の中継部６１は、全く、鼻には、接触することがなく、前記保持バンド２０１の押し圧力によって、頭部、および耳部を介して、保持バンド付き眼鏡が固定される。特に鼻あて部には依存しないで、安定して装着が可能であって、かつ、装着感に優れた保持バンド付き眼鏡を提供することができる。
【符号の説明】
【００１９】
１、１１  フレーム部
２、２１  レンズ
３、３Ａ  ツル部
６、６１    中継部
１００，１０１  眼鏡部
２００，２０１  保持バンド部
３００  勘合式保持部
４    円柱部
５    中空円筒部
３０１  磁気式保持部
４１  鉄板
５１  永久磁石
３１  保持バンド部
３２  筒状部
Ｇ 眼鏡
Ｎ 鼻当て部
Ｔ ツル部
【図１】
2012252053.tif 000003
【図２】
2012252053.tif 000004
【図３】
2012252053.tif 000005
【図４】
2012252053.tif 000006
【図５】
2012252053.tif 000007
【図６】
2012252053.tif 000008